(57)【要約】【課題】  小型で広角化を図ったものであり、組立て時にレンズの破損が生じないようにする。【解決手段】  ガラスレンズ１とプラスチックレンズ２とを組合せた撮像用光学ユニットにおいて、前面側に径の小さい第１のレンズ収容溝４を形成し、その後面側にこれよりも径の大きい第２のレンズ収容溝５を形成した鏡筒３の前面にガラスレンズ１を組込み、このガラスレンズ１の後面側の第２のレンズ収容溝５にガラスレンズ後面の外周縁に接触するワッシャー６を嵌め込み、このワッシャー６の後面の第２のレンズ収容溝５にプラスチックレンズ２を組込み、前記ワッシャー６後面側あるいはプラスチックレンズ２の外周縁を除いたワッシャー６接触面側に段部９を形成してワッシャー６とプラスチックレンズ２とが外周縁で接触するようにした。【選択図】  図１
2005308999.tif 000002
【特許請求の範囲】
【請求項１】
ガラスレンズとプラスチックレンズとを組合せた撮像用光学ユニットにおいて、
前面側に径の小さい第１のレンズ収容溝を形成し、その後面側にこれよりも径の大きい第２のレンズ収容溝を形成した鏡筒を有し、
前記第１のレンズ収容溝にガラスレンズを組込み、
このガラスレンズの後面側の第２のレンズ収容溝にガラスレンズ後面の外周縁に接触するワッシャーを嵌め込み、
このワッシャーの後面の第２のレンズ収容溝にプラスチックレンズを組込み、
前記ワッシャー後面側あるいはプラスチックレンズの外周縁を除いたワッシャー接触面側に段部を形成してワッシャーとプラスチックレンズとが外周縁で接触することを特徴とする撮像用光学ユニット。
【請求項２】
前記ガラスレンズの直径が３〜５ｍｍ、プラスチックレンズの直径が６〜８ｍｍであることを特徴とする請求項１に記載の撮像用光学ユニット。
【請求項３】
前記ガラスレンズとワッシャーとが接触した状態で形成される第２のレンズ収容溝とワッシャーとの間の隙間よりも前記段部が形成するワッシャーとプラスチックレンズとの間の隙間の方が大きいことを特徴とする請求項１又は２に記載の撮像用光学ユニット。
【発明の詳細な説明】
【技術分野】
【０００１】
本発明は、ＣＣＤ型イメージセンサなどの固体撮像素子を用いた撮像装置の小型化された撮像レンズを備えた撮像用光学ユニットに関する。
【背景技術】
【０００２】
近年、撮像装置を備えた携帯電話やパーソナルコンピュータが普及し、このような装置に使用される撮像用光学ユニットは、小型でありながら広い画角を確保する必要があった。小型で広角な光学ユニットとしては、物体側より順に、正の屈折力を有する第１レンズ、負の屈折力を有する第２レンズ、正の屈折力を有する第３レンズを配置した３枚構成のものが知られている（特許文献１参照）。
【０００３】
また、特許文献１記載のものでは、撮像レンズ全長の小型化に不向きであるために、より一層の小型化を図ったものも開発された（特許文献２参照）。
【特許文献１】特開２００１−７５００６号公報（図１）
【特許文献２】特開２００４−４５６６号公報（図２）
【発明の開示】
【発明が解決しようとする課題】
【０００４】
２枚のレンズ構成で、小型かつ広角化を図ろうとすると、物体側の第１レンズ１００としては傷に強いガラスレンズを使用し、その後面側にプラスチックレンズから成る第２レンズ１０１を使用し、これらを鏡筒１０２に収容する場合に図３のように構成していた。第１レンズ１００の外径は小さくし、第１レンズ１００の後面側で急激に光線を広げるために第２レンズ１０１の外径は大きくしていた。このような第１，第２レンズ１００，１０１を使用するため、第２レンズ１０１を鏡筒１０２内へ押し込むと、第１レンズ１００との接点を支点とするモーメントが働き、図３の符号Ａ，Ｂの部分に応力が集中して第２レンズ１０１にクラックが入ったり、破損したりするおそれがあった。
【０００５】
そこで、本発明は、小型で広角化を図った撮像用光学ユニットの組立て時にレンズの破損などを防止した光学ユニットを提供することを目的とする。
【課題を解決するための手段】
【０００６】
上述の目的を達成するため、本発明は、ガラスレンズとプラスチックレンズとを組合せた撮像用光学ユニットにおいて、前面側に径の小さい第１のレンズ収容溝を形成し、その後面側にこれよりも径の大きい第２のレンズ収容溝を形成した鏡筒の前面にガラスレンズを組込み、このガラスレンズの後面側の第２のレンズ収容溝にガラスレンズ後面の外周縁に接触するワッシャーを嵌め込み、このワッシャーの後面の第２のレンズ収容溝にプラスチックレンズを組込み、前記ワッシャー後面側あるいはプラスチックレンズの外周縁を除いたワッシャー接触面側に段部を形成してワッシャーとプラスチックレンズとが外周縁で接触するようにしたものである。
【発明の効果】
【０００７】
本発明は、ガラスレンズとプラスチックレンズとを組合せた撮像用光学ユニットにおいて、前面側に径の小さい第１のレンズ収容溝を形成し、その後面側にこれよりも径の大きい第２のレンズ収容溝を形成した鏡筒の前面にガラスレンズを組込み、このガラスレンズの後面側の第２のレンズ収容溝にガラスレンズ後面の外周縁に接触するワッシャーを嵌め込み、このワッシャーの後面の第２のレンズ収容溝にプラスチックレンズを組込み、前記ワッシャー後面側あるいはプラスチックレンズの外周縁を除いたワッシャー接触面側に段部を形成してワッシャーとプラスチックレンズとが外周縁で接触するようにしたので、プラスチックレンズを鏡筒内へ押し込んだときに、プラスチックレンズの破損が防止される。
【発明を実施するための最良の形態】
【０００８】
以下に、本発明の好適な実施形態を図面を参照にして説明する。
【０００９】
図１に示す実施形態では、ガラスレンズ１とプラスチックレンズ２とを組合せた撮像用光学ユニットを示し、これら２つのレンズ１，２が組込まれる鏡筒３は前面側に径の小さい第１のレンズ収容溝４を形成し、その後面側にこれよりも径の大きい第２のレンズ収容溝５を形成したものである。この鏡筒３の前面に前記ガラスレンズ１を組込み、このガラスレンズ１の後面側の第２のレンズ収容溝５にガラスレンズ１の後面外周縁に接触するワッシャー６を嵌め込んである。このワッシャー６の後面の第２のレンズ収容溝５にプラスチックレンズ２を組込む。前記ワッシャー６の後面側の外周縁を残した個所に段部７を形成してある。また、ガラスレンズの直径が３〜５ｍｍ、プラスチックレンズの直径が６〜８ｍｍのものが用いられる。さらに、ガラスレンズ１とワッシャー６とが接触した状態で形成される第２のレンズ収容溝５とワッシャー６との間の隙間Ｓ１よりも、段部７が形成するワッシャー６とプラスチックレンズ２との間の隙間Ｓ２の方が大きく形成してある。小型化すればするほど、このワッシャー６も薄いものを用いるため、プラスチックレンズ２を鏡筒３に押し込んだ際、この押し込み力によりワッシャー６が変形したとしても、隙間Ｓ２が隙間Ｓ１よりも大きいことにより、プラスチックレンズ２の外周縁と同時にワッシャー６の外周縁が鏡筒３の第１のレンズ収容溝４と第２のレンズ収容溝５との間の面８に先に接触することとなるので、従来のようなモーメントが働かず、プラスチックレンズ２にクラックが入ったり、損傷したりすることを確実に防止できる。通常ワッシャー６の厚み（外周縁部分で測った厚み）は０．４ｍｍ程度であり、隙間Ｓ２は０．１５ｍｍ程度である。
【００１０】
なお、プラスチックレンズ２にモーメントが働かないようにするために、鏡筒３の形状を変更して、プラスチックレンズ２を外周部で支える（例えば鏡筒３内に形成した突部などと当接）ことも考えられるが、ガラスレンズ１は研磨では中心厚の公差が幅で０．１ｍｍ程度考えられるので、中心厚の製造具合によっては、ガラスレンズ１がプラスチックレンズ２に接しなかったり、逆にプラスチックレンズ２が浮いてしまい、広角化の効果が得られないことがあるので、本出願人は採用しなかった。
【００１１】
図２は、ワッシャー６に段部７を設けず、プラスチックレンズ２の外周縁を除いたワッシャー６に対向する面側に段部９を形成したものを示す。
【００１２】
いずれの実施形態においても、プラスチックレンズ２はガラスレンズ１よりも大きな外径とする必要があり、有効レンズ径外に成形されるフランジ部２Ａの外周縁がワッシャー６に接触し、この接触状態においてフランジ部２Ａの中心側とワッシャー６との間には隙間Ｓ２が形成されるようになっているものである。
【図面の簡単な説明】
【００１３】
【図１】この発明の実施形態を示す断面図。
【図２】別の実施形態を示す断面図。
【図３】従来例を示す断面図。
【符号の説明】
【００１４】
１    ガラスレンズ
２    プラスチックレンズ
３    鏡筒
４    第１のレンズ収容溝
５    第２のレンズ収容溝
６    ワッシャー
７，９  段部
【図１】
2005308999.tif 000003
【図２】
2005308999.tif 000004
【図３】
2005308999.tif 000005